(57)【要約】【課題】複数の圧力センサを用いた血圧測定において血圧測定値の信頼性を向上させる。【解決手段】電子血圧計は、測定部位に装着するカフ２０と、カフ２０に加える圧力を調整するポンプ５１および弁５２などの加圧・減圧部と、血圧測定時にカフ２０内のカフ圧を検出するための第１および第２圧力センサ３３１および３３２を含む圧力検出部と、圧力検出部が検出するカフ圧の変化に基づき血圧を算出するＣＰＵ１００と、を備える。第１および第２圧力センサ３３１および３３２に対応して検出されるカフ圧に基づいて、血圧測定と、複数の圧力センサについての異常の検出とが行なわれる。【選択図】図２
2010057817.tif 000002
【特許請求の範囲】
【請求項１】
測定部位に装着するカフと、
前記カフに加える圧力を調整する加圧・減圧手段と、
複数の圧力センサを含み、前記複数の圧力センサから出力される圧力情報に基づき前記カフ内のカフ圧を検出するための圧力検出手段と、
前記圧力検出手段が検出するカフ圧の変化に基づき血圧を算出する血圧算出手段と、を備え、
前記複数の圧力センサから出力される圧力情報に従い検出される前記複数の圧力センサそれぞれに対応する前記カフ圧に基づいて、血圧測定と、前記複数の圧力センサについての異常の検出とを行なう、電子血圧計。
【請求項２】
前記血圧算出手段は、前記複数の圧力センサそれぞれに対応する前記カフ圧に基づき、血圧を算出する、請求項１に記載の電子血圧計。
【請求項３】
前記複数の圧力センサの異常を検出する異常検出手段を、さらに備え、
前記異常検出手段は、
前記複数の圧力センサそれぞれに対応する前記圧力情報を相互に比較し、比較結果に基づき、前記複数の圧力センサのうち少なくとも１つが異常であることを検出する、請求項１に記載の電子血圧計。
【請求項４】
前記血圧算出手段は、前記複数の圧力センサの内、異常であることが検出された前記圧力センサに対応する前記カフ圧を血圧算出のために使用するデータから除外する、請求項３に記載の電子血圧計。
【請求項５】
前記血圧算出手段が算出した血圧のデータを記憶する記憶部、をさらに備え、
前記異常検出手段による検出結果が、前記血圧のデータと関連付けて前記記憶部に記憶される、請求項３または４に記載の電子血圧計。
【請求項６】
前記圧力情報は、前記加圧・減圧手段が前記カフに加える圧力を加圧する過程または減圧する過程において検出される、請求項第３から５のいずれかに記載の電子血圧計。
【請求項７】
前記異常検出手段は、所定カフ圧における前記複数の圧力センサそれぞれに対応する前記圧力情報を相互に比較し、比較結果に基づき、前記複数の圧力センサのうち少なくとも１つが異常であることを検出し、
前記複数の圧力センサそれぞれに対応する前記所定カフ圧は、血圧を測定する際に前記カフに０ｍｍＨｇの圧力を加えたときに当該圧力センサが出力する圧力情報と、当該圧力センサの校正時に予め取得した前記カフに０ｍｍＨｇの圧力を加えたときに当該圧力センサが出力する圧力情報との差を指す、請求項３または４に記載の電子血圧計。
【請求項８】
前記カフを円柱状の部材に巻付けた状態で、且つ前記カフに所定量の空気を流入させた状態において、前記複数の圧力センサそれぞれに対応する前記圧力情報を検出する、請求項３または４に記載の電子血圧計。
【請求項９】
前記電子血圧計は、前記カフとは別個の本体を備え、
前記本体は、前記加圧・減圧手段と、前記圧力検出手段と、前記血圧算出手段と、前記異常検出手段とを含み、
前記本体の筐体は、前記円柱状の部材によって構成される、請求項８に記載の電子血圧計。
【請求項１０】
前記電子血圧計は、さらに、
所定量の空気を蓄えることが可能なタンクと、
前記加圧・減圧手段および前記圧力検出手段に通じる第１空気流路と、
前記カフに通じる第２空気流路と、
前記タンクに通じる第３空気流路と、
前記第１空気流路に、前記第２空気流路および前記第３空気流路のいずれかを選択的に接続する流路切替部と、をさらに備え、
前記流路切替部が前記第１空気流路に前記第３空気流路を接続した後に、前記タンクに前記所定量の空気を流入させる状態において、前記圧力検出手段は、前記複数の圧力センサから出力される前記圧力情報に基づき前記カフ内のカフ圧を検出する、請求項３または４に記載の電子血圧計。
【発明の詳細な説明】
【技術分野】
【０００１】
この発明は、電子血圧計に関し、特に血圧測定値の信頼性を向上させる電子血圧計に関する。
【背景技術】
【０００２】
血圧は循環器疾患を解析する指標の一つである。血圧に基づいて循環器疾患のリスク解析を行うことは、たとえば脳卒中や心不全や心筋梗塞などの心血管系の疾患の予防に有効である。特に、早朝に血圧が上昇する早朝高血圧は心臓病や脳卒中などに関係している。さらに、早朝高血圧の中でも、モーニングサージと呼ばれる起床後１時間から１時間半ぐらいの間に急激に血圧が上昇する症状は、脳卒中との因果関係があることが判明している。そこで、時間（生活習慣）と血圧変化の相互関係を把握することが、心血管系の疾患のリスク解析に有用である。したがって、長期間にわたり、連続的に血圧測定することが必要となってきている。
【０００３】
また、近年の研究成果により、病院や健康診断時に測定する血圧（随時血圧）よりも、家庭で測定した家庭血圧が、より心血管系疾患の予防・診断・治療に有効であることが判明してきている。これにともない、家庭向け血圧計が広く普及し、家庭血圧値を診断に使用する動きも始まっている。
【０００４】
血圧計による測定精度を向上させるために、特許文献１に開示の発明によれば、血圧測定のための圧力センサの特性に依存した測定値の誤差を補正するための処理が、電子血圧計の生産時点で行なわれている。
【特許文献１】特開平７−５１２３３号公報
【発明の開示】
【発明が解決しようとする課題】
【０００５】
特許文献１では、電子血圧計の生産時点で個別の電子血圧計における特性の相違に依拠して、圧力センサに関する補正をするが、病院等医療施設で用いる血圧計とは異なり、家庭向け血圧計は購入したあとは、故障したときなど特定の状況を除き、定期的な校正は行われないのが一般的である。そのため、たとえば、血圧測定に最も重要な圧力センサの出力が、規定されている許容差以上にずれていたとしても、その現象を知る方法はなく、血圧測定値が正しいかどうかは不明であった。そのため、血圧測定値が通常の血圧値や随時血圧と大きく異なっていても、真に血圧値が異なっているのか、血圧計の圧力センサの誤差により異なっているのかが不明であり、使用者に不安を与える一因となっていた。
【０００６】
また、一部の医療施設向けの血圧計では、２個の圧力センサを搭載し、これら圧力センサの出力に基づき圧力の監視を行うものがある。しかしながらこの血圧計においては、２個の圧力センサの機能は別の目的に用いられていた。つまり、一方の圧力センサで得られるカフ圧情報で血圧を算出し、他方の圧力センサの出力に基づき異常検出を行っていた。具体的には、圧力センサの検出圧力値が、たとえば３００ｍｍＨｇを大きく超えたときに異常を検出する。この場合にはポンプを停止し、弁を開放して、安全が確保される。したがって、他方の圧力センサは、医療規格ＩＥＣ６０６０１−２−３０に規定される安全対策のために適用されるものであり、血圧測定に使用する一方の圧力センサの精度を保証するものではなかった。
【０００７】
したがって、血圧算出のための一方の圧力センサの精度は、当該圧力センサそのものによって保証する必要がある。そのため、温度変化などの外乱に影響されず、経年変化の少ない高精度の圧力センサが要求されるので、圧力センサが高価となるという欠点があった。また、別目的の機能の圧力センサが２個搭載されているということより、圧力センサが１個の血圧計に比較し、圧力センサの故障による血圧計の故障率が単純に２倍になる。
【０００８】
それゆえに、この発明の目的は、複数の圧力センサを用いた血圧測定において血圧測定値の信頼性を向上させることのできる電子血圧計を提供することである。
【課題を解決するための手段】
【０００９】
この発明のある局面に従うと、電子血圧計は、測定部位に装着するカフと、カフに加える圧力を調整する加圧・減圧手段と、複数の圧力センサを含み、複数の圧力センサから出力される圧力情報に基づきカフ内のカフ圧を検出するための圧力検出手段と、圧力検出手段が検出するカフ圧の変化に基づき血圧を算出する血圧算出手段と、を備え、複数の圧力センサから出力される圧力情報に従い検出される複数の圧力センサそれぞれに対応するカフ圧に基づいて、血圧測定と、複数の圧力センサについての異常の検出とを行なう。
【００１０】
好ましくは、血圧算出手段は、複数の圧力センサそれぞれに対応するカフ圧に基づき、血圧を算出する。
【００１１】
好ましくは、血圧算出手段は、複数の圧力センサそれぞれに対応するカフ圧の平均に基づき、血圧を算出する。
【００１２】
好ましくは、血圧算出手段は、複数の圧力センサそれぞれに対応するカフ圧の中央値に基づき、血圧を算出する。
【００１３】
好ましくは、複数の圧力センサの異常を検出する異常検出手段を、さらに備え、異常検出手段は、複数の圧力センサそれぞれに対応する圧力情報を相互に比較し、比較結果に基づき、複数の圧力センサのうち少なくとも１つが異常であることを検出する。
【００１４】
好ましくは、血圧算出手段は、複数の圧力センサの内、異常であることが検出された圧力センサに対応するカフ圧を血圧算出のために使用するデータから除外する。
【００１５】
好ましくは、血圧算出手段が算出した血圧のデータを記憶する記憶部、をさらに備え、異常検出手段による検出結果が、血圧のデータと関連付けて記憶部に記憶される。
【００１６】
好ましくは、圧力情報は、加圧・減圧手段がカフに加える圧力を加圧する過程または減圧する過程において算出される。
【００１７】
好ましくは、圧力情報は、加圧する過程または減圧する過程において、カフ圧が複数の所定のレベルを指示する時のそれぞれにおいて検出される。
【００１８】
好ましくは、電子血圧計による血圧測定を行っていない期間において、異常検出手段は、複数の圧力センサそれぞれに対応する圧力情報を相互に比較し、比較結果に基づき、複数の圧力センサのうち少なくとも１つが異常であることを検出する。
【００１９】
好ましくは、電子血圧計の電源投入後から測定可能状態までの期間において、異常検出手段は、複数の圧力センサそれぞれに対応する圧力情報を相互に比較し、比較結果に基づき、複数の圧力センサのうち少なくとも１つが異常であることを検出する。
【００２０】
好ましくは、異常検出手段は、所定カフ圧における複数の圧力センサそれぞれに対応する圧力情報を相互に比較し、比較結果に基づき、複数の圧力センサのうち少なくとも１つが異常であることを検出し、複数の圧力センサそれぞれに対応する所定カフ圧は、血圧を測定する際にカフに０ｍｍＨｇの圧力を加えたときに当該圧力センサが出力する圧力情報と、当該圧力センサの校正時に予め取得したカフに０ｍｍＨｇの圧力を加えたときに当該圧力センサが出力する圧力情報との差を指す。
【００２１】
好ましくは、カフを円柱状の部材に巻付けた状態で、且つカフに所定量の空気を流入させた状態において、複数の圧力センサそれぞれに対応する圧力情報を検出する。
【００２２】
好ましくは、電子血圧計は、カフとは別個の本体を備え、本体は、加圧・減圧手段と圧力検出手段と、血圧算出手段と、異常検出手段とを含み、本体の筐体は、円柱状の部材によって構成される。
【００２３】
好ましくは、電子血圧計は、さらに、所定量の空気を蓄えることが可能なタンクと、加圧・減圧手段および圧力検出手段に通じる第１空気流路と、カフに通じる第２空気流路と、タンクに通じる第３空気流路と、第１空気流路に、第２空気流路および第３空気流路のいずれかを選択的に接続する流路切替部と、をさらに備え、流路切替部が第１空気流路に第３空気流路を接続した後に、タンクに所定量の空気を流入させる状態において、圧力検出手段は、複数の圧力センサから出力される圧力情報に基づきカフ内のカフ圧を検出する。
【００２４】
好ましくは、記憶部から血圧のデータを読出し外部に出力するときに、異常検出手段は、複数の圧力センサそれぞれに対応する圧力情報を相互に比較し、比較結果に基づき、複数の圧力センサのうち少なくとも１つが異常であることを検出する。
【００２５】
好ましくは、時刻を計時するタイマをさらに備え、タイマの時刻を設定する際に、異常検出手段は、複数の圧力センサそれぞれに対応する圧力情報を相互に比較し、比較結果に基づき、複数の圧力センサのうち少なくとも１つが異常であることを検出する。
【００２６】
好ましくは、電池からなる電源部をさらに備え、電池の交換の直後において、異常検出手段は、複数の圧力センサそれぞれに対応する圧力情報を相互に比較し、比較結果に基づき、複数の圧力センサのうち少なくとも１つが異常であることを検出する。
【００２７】
好ましくは、外部から電力が供給され、且つ供給される電力を電子血圧計の各部に出力する電源部をさらに備え、電源部に外部から電力の供給が開始された直後において、異常検出手段は、複数の圧力センサそれぞれに対応する圧力情報を相互に比較し、比較結果に基づき、複数の圧力センサのうち少なくとも１つが異常であることを検出する。
【００２８】
好ましくは、外部から入力する指示に従い、異常検出手段は、複数の圧力センサそれぞれに対応する圧力情報を相互に比較し、比較結果に基づき、複数の圧力センサのうち少なくとも１つが異常であることを検出する。
【００２９】
好ましくは、異常検出手段の検出結果に基づき、複数の圧力センサが正常か異常かを表示する。
【００３０】
好ましくは、異常検出手段の検出結果に基づき、複数の圧力センサの各々について個別に正常か異常かを表示する。
【００３１】
好ましくは、圧力センサが正常か異常かは、当該圧力センサに対応して検出されるカフ圧により指示される。
【００３２】
好ましくは、血圧測定開始前において、圧力センサが正常か異常かを表示する。
好ましくは、血圧測定結果の表示時において、圧力センサが正常か異常かを表示する。
【００３３】
好ましくは、血圧算出手段が算出した血圧のデータを記憶する記憶部、をさらに備え、血圧測定結果は、記憶部から読出した血圧のデータを含む。
【００３４】
好ましくは、異常検出手段が、複数の圧力センサのうち少なくとも１つが異常であることを検出する毎に、異常検出手段の検出結果に基づき、複数の圧力センサが正常か異常かを表示する。
【発明の効果】
【００３５】
発明によれば、複数の圧力センサを用いて検出するカフ圧に基づいて、血圧測定と、複数の圧力センサについての異常の検出とを行なうことができるので、血圧測定値の信頼性を向上させることができる。
【発明を実施するための最良の形態】
【００３６】
以下、この発明の各実施の形態について図面を参照して詳細に説明する。なお、各図中、同一符号は同一または相当部分を指し、その説明は繰返さない。
【００３７】
（実施の形態１）
本実施の形態では、測定部位を上腕とし、オシロメトリック法で血圧を算出し、圧力センサが２個搭載されている電子血圧計を説明する。なお、血圧算出のために適用される方法は、オシロメトリック法に限定されない。
【００３８】
図１は、この発明の実施の形態１に係る電子血圧計１の外観を示す図である。図２は、本発明の実施の形態１に係る電子血圧計のハードウェア構成を表わすブロック図である。図１と図２を参照して、電子血圧計１は、本体部１０と、被測定者の上腕に巻付け可能なカフ２０とを備える。カフ２０は、空気袋２１を含む。本体部１０の表面には、たとえば液晶などにより構成される表示部４０と、ユーザ（被測定者）からの指示を受付けるための複数のスイッチからなる操作部４１とが配置されている。
【００３９】
本体部１０は、上述の表示部４０および操作部４１に加え、各部を集中的に制御し各種の演算処理を行なうためのＣＰＵ（Central Processing Unit）１００と、ＣＰＵ１００に所定の動作をさせるためのプログラムやデータを記憶するための処理用のメモリ４２と、測定した血圧データなどを格納するためのデータ格納用のメモリ４３と、本体部１０の各部に電力を供給するための電源４４と、現在時間を計時して計時データをＣＰＵ１００に出力するタイマ４５とを含む。
【００４０】
操作部４１は、電源をＯＮまたはＯＦＦするための指示の入力を受付ける電源スイッチ４１Ａと、測定開始の指示を受付けるための測定スイッチ４１Ｂと、測定停止の指示を受付けるための停止スイッチ４１Ｃと、メモリ４３に格納された血圧データなどの情報をメモリ４３から読出し表示部４０に表示する指示を受付けるためのメモリスイッチ４１Ｄと、タイマ４５をセットするために操作されるタイマセットスイッチ４１Ｅとを有する。
【００４１】
本体部１０は、さらに、ポンプ５１および排気弁（以下、弁という）５２を含むカフ圧の調整機構を有する。
【００４２】
ポンプ５１、弁５２および空気袋２１内の圧力（カフ圧）を検出するための第１および第２の圧力センサ３２１および３２２からなるエア系は、エアチューブ３１を介して、カフ２０に内包される空気袋２１と接続される。
【００４３】
本体部１０は、さらに、上述したエア系と、カフ圧の調整機構と、第１および第２発振回路３３１および３３２と、を含む。カフ圧の調整機構は、ポンプ５１および弁５２のほか、ポンプ駆動回路５３と弁駆動回路５４とを有する。
【００４４】
ポンプ５１は、カフ圧を加圧するために、空気袋２１に空気を供給する。弁５２は、空気袋２１の空気を排出しまたは封入するために開閉される。ポンプ駆動回路５３は、ポンプ５１の駆動をＣＰＵ１００から与えられる制御信号に基づいて制御する。弁駆動回路５４は弁５２の開閉制御をＣＰＵ１００から与えられる制御信号に基づいて行なう。
【００４５】
第１および第２圧力センサ３２１および３２２は、静電容量型の圧力センサであり、検出するカフ圧に応じて容量値が変化する。第１および第２発振回路３３１および３３２のそれぞれは、対応する圧力センサに接続されて、対応の圧力センサの容量値に基づき発振する。これにより、対応する圧力センサの容量値に応じた周波数を有する信号（以下、周波数信号という）を出力する。出力した周波数信号はＣＰＵ１００に与えられる。ＣＰＵ１００は、第１発振回路３３１または第２発振回路３３２から入力する周波数信号を圧力に変換することによって、圧力を検知する。
【００４６】
図３には、本実施の形態に係る電子血圧計１の機能構成が示される。図３を参照し、ＣＰＵ１００には、圧力調整部１１１、血圧算出部１１２、センサ異常検出部１１３、記録部１１４および表示処理部１１５を備える。
【００４７】
圧力調整部１１１はポンプ駆動回路５３および弁駆動回路５４を介してポンプ５１および弁５２を制御し、エアチューブ３１を介して空気袋２１内に空気を流入・排出することにより、カフ圧を調整する。
【００４８】
血圧算出部１１２は第１発振回路３３１または第２発振回路３３２から入力する周波数信号（この周波数信号は圧力情報信号を指示する）に基づき脈波振幅情報を検出し、検出した脈波振幅情報に基づきオシロメトリック法に従い収縮期血圧および拡張期血圧を算出し、ならびに検出した脈波振幅情報に基づき所定時間当たりの脈拍数を算出する。具体的には、圧力調整部１１１によりカフ圧を所定値まで徐々に加圧（または減圧）させる過程において、第１発振回路３３１または第２発振回路３３２から入力するカフ圧に基づいて脈波振幅情報を検出し、検出した脈波振幅情報に基づき被測定者の収縮期血圧および拡張期血圧を算出する。血圧算出部１１２によるオシロメトリック法に従う血圧の算出および脈拍の算出は、従来から知られている方法を適用することができる。
【００４９】
センサ異常検出部１１３は、第１発振回路３３１および第２発振回路３３２から出力される周波数信号を入力し、入力した信号を解析することにより、第１圧力センサ３２１および第２圧力センサ３２２の異常を検出する。
【００５０】
記録部１１４はメモリ４３のデータを読出し、またはメモリ４３に書込む機能を有する。具体的には、血圧算出部１１２からの出力データを入力し、入力したデータ（血圧測定データ）をメモリ４３の所定記憶領域に格納する。さらに、センサ異常検出部１１３からの出力データを入力し、入力したデータ（圧力センサの異常の検出結果）をメモリ４３の所定記憶領域に格納する。また記録部１１４は、操作部４１のメモリスイッチ４１Ｄの操作に基づきメモリ４３の所定記憶領域から測定データを読出し表示処理部１１５に出力する。
【００５１】
表示処理部１１５は、与えられるデータを入力し、表示可能な形式に変換して表示部４０に表示する。
【００５２】
図３ではＣＰＵ１００の周辺回路について、ＣＰＵ１００と直接に入出力する部分のみを示している。
【００５３】
図４を参照して、本実施の形態１に係る血圧測定の処理手順について説明する。図４の処理手順を示すフローチャートは、予めプログラムとして、メモリ４２に格納されており、ＣＰＵ１００がメモリ４２から当該プログラムを読出し命令を実行することにより、図４の血圧測定処理が実現される。
【００５４】
まず、被測定者が電源スイッチ４１Ａを操作（押す）すると（ステップＳＴ１）、ＣＰＵ１００は、図示のない作業用メモリを初期化する（ＳＴ２）。
【００５５】
続いて、第１および第２圧力センサ３２１および３２２の０ｍｍＨｇの調整を行う（ＳＴ３）。
【００５６】
ここで、被測定者は、カフ２０を図１のように測定部位に巻付けて装着する。カフ２０を巻きつけた後、被測定者は測定スイッチ４１Ｂを操作（押す）すると（ステップＳＴ４）、圧力調整部１１１はポンプ駆動回路５３および弁駆動回路５４に制御信号を出力する。ポンプ駆動回路５３および弁駆動回路５４は制御信号に基づき弁５２を閉鎖した後に、ポンプ５１を駆動する。これにより、カフ圧は所定の圧力まで徐々に加圧される（ステップＳＴ５、ＳＴ６）。
【００５７】
所定の圧力まで加圧した後（ステップＳＴ６で≧所定加圧値）、圧力調整部１１１はポンプ駆動回路５３および弁駆動回路５４に制御信号を出力する。ポンプ駆動回路５３および弁駆動回路５４は制御信号に基づきポンプ５１を停止し、その後、弁５２を徐々に開くように制御する。これにより、カフ圧は徐々に減圧していく（ステップＳＴ７）。
【００５８】
この減圧過程において、血圧算出部１１２は第１発振回路３３１または第２発振回路３３２から出力される周波数信号に基づき、すなわち第１圧力センサ３２１または第２圧力センサ３２２によって検出されたカフ圧信号に基づき脈波振幅情報を検出し、検出した脈波振幅情報に所定の演算を行う。この演算により収縮期血圧および拡張期血圧が算出される（ステップＳＴ８、ＳＴ９）。脈波振幅情報は、測定部位の動脈の容積変化成分を表し、検出するカフ圧信号に含まれる。血圧算出部１１２による血圧の算出においては、圧力センサの特性変化に従う演算が行なわれるが、これについては、後述の図６で説明する。なお、血圧測定は減圧過程に限らず、加圧過程（ステップＳＴ５）において行なわれてもよい。
【００５９】
収縮期血圧・拡張期血圧が算出されて決定すると（ステップＳＴ９でＹＥＳ）、圧力調整部１１１は弁駆動回路５４を介して弁５２を全開にし、カフ２０内の空気を急速排気する（ステップＳＴ１０）。
【００６０】
血圧算出部１１２により算出された血圧のデータは、表示処理部１１５と記録部１１４に出力される。表示処理部１１５は血圧データを入力して、表示部４０に表示する（ステップＳＴ１１）。また、記録部１１４は血圧データを入力し、タイマ４５から入力する時間データを関連付けて、メモリ４３の所定記憶領域に格納する（ステップＳＴ１２）。
【００６１】
なお、血圧算出部１１２は検出される脈波振幅情報に基づき脈拍数を算出することもできる。算出された脈拍数は表示処理部１１５により表示部４０に表示されるとともに、記録部１１４により血圧データと関連付けてメモリ４３に格納される。
【００６２】
なお、ここまでの動作は従来の血圧計と同様である。
従来の電子血圧計では、血圧を算出するための最も重要な要素である圧力センサが正常か異常かを使用者が判断することが不可能であったため、血圧測定値が通常の値（例えば、前日の測定値、病院での測定値など）と大きく異なった場合（例えば１０ｍｍＨｇ以上相違していた場合）、それが生体の生理情報に起因するものなのか、圧力センサが故障したためなのかが不明であり、不安感を抱くことがあった。
【００６３】
そこで、本実施の形態１の電子血圧計１は２個の圧力センサ３２１と３２２を搭載し、これら圧力センサが検出したカフ圧の平均値を血圧として算出する。これにより経年変化により一方の圧力センサの検出精度にバラツキが発生しても、平均値を算出することで、血圧測定値の信頼性を向上させることができる。
【００６４】
（平均値の算出）
血圧算出時（図４のステップＳＴ８）において、血圧算出部１１２の平均化部１１２１は、第１および第２圧力センサ３２１および３２２より検出されたカフ圧を第１および第２発振回路３３１および３３２を介して入力する。ここで、第１圧力センサ３２１の出力信号をカフ圧ａ、第２圧力センサ３２２の出力信号をカフ圧ｂとする。平均化部１１２１は、第１および第２発振回路３３１および３３２から入力したカフ圧ａおよびｂに対応の周波数信号それぞれに基づき、脈波振幅情報を抽出し、抽出した脈波振幅情報に基づき血圧値を算出する。すなわち、カフ圧ａの脈波振幅情報に基づき収縮期血圧ＳＢＰａおよび拡張期血圧ＤＢＰａを算出して、カフ圧ｂの脈波振幅情報に基づき収縮期血圧ＳＢＰｂおよび拡張期血圧ＤＢＰｂを算出する。そして、収縮期血圧ＳＢＰａとＳＢＰｂの平均値、および、拡張期血圧ＤＢＰａとＤＢＰｂの平均値を算出し、算出した平均血圧値を表示部４０およびメモリ４３に格納する。これにより、血圧測定値の信頼性を向上させる。
【００６５】
なお、３台以上の圧力センサを用いる場合には、平均値に代替して中央値を用いるようにしてもよい。また、圧力センサのうち、他の圧力センサの出力値との差が大きい値を出力した圧力センサがあれば、当該圧力センサの出力値は、平均値または中央値の算出においては、除くようにしてもよい。
【００６６】
ここで、本実施の形態１におけるオシロメトリック法による血圧算出方法の概念を説明する。図５（ａ）には、徐々に減圧されるカフ圧がタイマ４５が計時する時間軸に沿って示される。図５（ｂ）には、同一の時間軸に沿って、上述の脈波振幅情報に対応する脈波振幅の包絡線６００が示される。脈波振幅の包絡線６００は圧力センサからの信号（カフ圧）に重畳した脈波振幅信号を時系列に抽出することにより検出される。
【００６７】
図５（ａ）と（ｂ）を参照して、血圧算出部１１２は、脈波振幅の包絡線において振幅の最大値ＭＡＸを検出すると、その最大値に所定の定数（たとえば０．７および０．５）を乗じて２つの閾値TH_DBPおよびTH_SBPを算出する。そして、最大値ＭＡＸが検出された時点Ｔ０のカフ圧ＭＡＰ（平均血圧）よりもカフ圧が低い側において、閾値TH_DBPと包絡線６００とが交わった点におけるカフ圧を拡張期血圧として算出する。また、カフ圧ＭＡＰよりもカフ圧が高い側において、閾値TH_SBPと包絡線６００とが交わった点におけるカフ圧を収縮期血圧として算出する。
【００６８】
また、次のようにしてもよい。つまり、血圧算出時（図４のステップＳＴ８）において、平均化部１１２１は、第１および第２発振回路３３１および３３２からカフ圧ａおよびｂの信号を入力する。そして、入力したカフ圧ａおよびｂの信号の平均値に基づき脈波振幅情報を抽出し、抽出した脈波振幅情報に基づき収縮期血圧ＳＢＰおよび拡張期血圧ＤＢＰを算出する。
【００６９】
（センサ異常の判断）
血圧測定値の信頼性を向上させるために、血圧算出時（図４のステップＳＴ８）において、血圧算出部１１２の値異常判断部１１２２は、算出した収縮期血圧ＳＢＰａとＳＢＰｂ、および拡張期血圧ＤＢＰａとＤＢＰｂを入力する。そして、収縮期血圧ＳＢＰａとＳＢＰｂを比較することにより、両者の差分を検出する。同様にして、拡張期血圧ＤＢＰａとＤＢＰｂについても差分を検出する。そして、検出した両方の差分のそれぞれについて所定値（たとえば５ｍｍＨｇ）と比較する。比較結果に基づき、両方の差分のうちいずれか一方または両方が、所定値を超えていていると判定した場合には、一方の圧力センサは異常であると判断する。
【００７０】
または、第１および第２発振回路３３１および３３２から入力する周波数信号が指示するカフ圧ａおよびｂを比較し、比較結果に基づき、その差が所定値（たとえば５ｍｍＨｇ）を超えていると判定した場合には、一方の圧力センサは異常であると判断する。
【００７１】
値異常判断部１１２２によっていずれかの圧力センサが異常であると判断された場合には、血圧算出部１１２は、当該判断結果に基づき、算出した血圧測定データを表示・記録に使用しない、すなわち破棄することで、血圧測定値の信頼性を向上させることができる。また、破棄するのに代替して、圧力センサが異常であることを指示する情報（メッセージ）とともに、血圧測定データを表示部４０に表示してもよい。また、圧力センサが異常であることを指示するフラグと関連付けて当該血圧測定データを、メモリ４３に格納するようにしてもよい。
【００７２】
（圧力センサの特性変化に従う血圧算出）
通常、圧力センサは電子血圧計１の製造時に校正が行われる。校正時には圧力センサが所定の圧力値（０ｍｍＨｇ，３００ｍｍＨｇ）を検出した場合における出力（本実施の形態では発振回路の出力信号の周波数を指す）を測定し、測定値をメモリ４３の所定記憶領域に格納しておく。所定の圧力値（０ｍｍＨｇ，３００ｍｍＨｇ）は、電子血圧計１では０〜２９９ｍｍＨｇまで血圧測定することができるように設計されていることに依拠している。この測定値はメモリ４３において書換え不可能であり、且つ消去されることはない。本実施の形態１でも、第１および第２圧力センサ３２１および３２２の製造時に校正をした際の測定値はメモリ４３の所定記憶領域に格納される。
【００７３】
血圧測定時には、圧力センサの初期化時（図４のステップＳＴ３）において、第１および第２発振回路３３１および３３２を介して入力する第１および第２圧力センサ３２１および３２２の出力の測定値もメモリ４３に格納される。血圧算出部１１２は、血圧を測定するとき、メモリ４３から読出した製造時のこれら圧力センサの校正された出力の測定値と、初期化時の圧力センサの出力の測定値とを比較し、比較結果に基づき現時点での圧力センサの０ｍｍＨｇ補正を行う。
【００７４】
具体的には、製造時に０ｍｍＨｇ、３００ｍｍＨｇについて校正した際の圧力センサの出力の測定値をそれぞれＭ０、Ｍ３００とし、圧力センサの初期化時の出力の測定値をＵ０とし、現在、発振回路から出力される信号の周波数を‘ｆ’とした場合に、血圧算出部１１２は、圧力値Ｐ（ｍｍＨｇ）を（式１）に従って算出する。算出した圧力値Ｐは、図５（ａ）のカフ圧に相当する。
【００７５】
圧力値Ｐ＝｛（ｆ−Ｕ０−Ｍ０）÷（Ｍ３００−Ｍ０）｝×３００（式１）
上述の（式１）に従う圧力値Ｐの算出について図６の圧力センサの特性のグラフを参照して、さらに説明する。図６のグラフは、横軸にカフ圧を示す圧力（ｍｍＨｇ）が取られ、縦軸に発振回路の出力信号の周波数（Ｈｚ）が取られている。図６では、電子血圧計１を製造時の圧力センサの特性Ｌ１と、現在の圧力センサの特性Ｌ２とが示される。
【００７６】
もし、製造時の圧力センサの特性Ｌ１と、現在の圧力センサの特性Ｌ２とが同一であれば、圧力値Ｐ＝（ｆ−Ｍ０）／（Ｍ３００−Ｍ０）×３００の（式２）が成立する。
【００７７】
実際には、圧力センサの特性は、使用状況などさまざまな要因により、製造時の特性Ｌ１を維持することはできず、特性Ｌ１はたとえば現在の特性Ｌ２に変化する。したがって、この特性変化に伴い生じた、圧力センサの初期化時の出力Ｕ０を用いて、（式２）は（式１）に書換えられる。
【００７８】
（センサの異常検出）
上述した（式１）に従う血圧算出部１１２の処理（ステップＳＴ８）に並行して、センサ異常検出部１１３により、圧力センサの異常検出がされる（ステップＳＴ８ａ）。
【００７９】
センサ異常検出部１１３は、第１および第２圧力センサ３２１と３２２それぞれに対応の出力Ｕ０とＭ０をメモリ４３から読出す。そして、各圧力センサについて、読出した出力Ｍ０とＵ０の差を算出し、算出した差と所定値とを比較する。その結果、差が所定値を超えていると検出した場合には、当該差が算出された出力Ｕ０とＭ０に対応の圧力センサは異常であると判断する。
【００８０】
また、第１および第２圧力センサ３２１および３２２ともに、上記差が所定値以下であるが、圧力センサそれぞれの出力信号が指す圧力値どうしに差がある場合には、いずれかの圧力センサは異常であると判断する。具体的には、第１および第２圧力センサ３２１と３２２のうち、算出された上記差が大きい方の圧力センサを異常であると特定する。
【００８１】
センサ異常検出部１１３の検出結果は、表示処理部１１５を介して表示部４０に表示されてもよい。この表示を確認した被測定者は、圧力センサが異常であるか否かを知ることができるので、血圧測定結果は通常の値を外れていたとしても、一応の安心感を得ることができる。また、血圧測定値への精度に対する不安を払拭することも可能である。また、センサ異常検出部１１３の検出結果は、記録部１１４を介してメモリ４３に血圧測定データと関連付けて格納されてもよい。
【００８２】
このようにして２個の圧力センサの内、一方が異常であると検出された場合でも、他方の圧力センサを用いて血圧を算出することが可能となるので、圧力センサに起因する電子血圧計１の故障率を１／２に低減することも可能である。
【００８３】
（血圧測定中止の処理）
図７のフローチャートを参照して、加圧過程または減圧過程において圧力センサの異常を検出した場合に、血圧測定を中止する手順について説明する。
【００８４】
図７は、図４の血圧測定の処理にステップＳＴ５ａ、ＳＴ７ａおよびＳＴ１４の処理が追加されたものである。他の処理は、図４に説明したものと同じなので、ここでは追加された処理について説明する。
【００８５】
加圧過程において（ステップＳＴ５）、または減圧過程において（ステップＳＴ７）、センサ異常検出部１１３により、上述の（センサの異常検出）の手順に従い、第１および第２圧力センサ３２１および３２２のそれぞれについて正常動作をしているか否かが検出される（ステップＳＴ５ａ、ＳＴ７ａ）。正常動作をしていると検出されると（ステップＳＴ５ａまたは７ａで“センサ正常”）、加圧動作および減圧動作が継続することにより、血圧測定が行われる。
【００８６】
一方、ステップＳＴ５ａまたはＳＴ７ａにおいて、圧力センサが異常であると検出されると（ステップＳＴ５ａまたは７ａで“センサ異常”）、処理はステップＳＴ１４に移り、血圧測定の中止のための動作がなされる。具体的には、カフ２０の空気袋２１内の空気を急速に排気する。その後、血圧測定は終了する。このとき、被測定者に、血圧測定が中止した理由を報知するために、表示部４０に‘圧力センサ異常により血圧測定を中止した’とのメッセージを出力するとよい。なお、この急速排気は、圧力調整部１１１が、弁駆動回路５４を介し弁５２を全開にすることにより実現される。
【００８７】
なお、加圧過程または減圧過程においては、検出されるカフ圧が複数の所定のカフ圧となったときのそれぞれにおいて行なうようにしてもよい。
【００８８】
（センサ異常時には血圧測定を開始しない処理）
図８のフローチャートを参照して、測定スイッチ４１Ｂが操作された場合であっても、圧力センサの異常を検出した場合には、血圧測定を開始しない手順について説明する。
【００８９】
図８は、図４の血圧測定の処理にステップＳＴ３ａ、ＳＴ４ａおよびＳＴ４ｂの処理が追加されたものである。他の処理は、図４に説明したものと同じなので、ここでは追加された処理について説明する。
【００９０】
図８を参照して、前述と同様にステップＳＴ１〜ＳＴ３の処理が実行された後、センサ異常検出部１１３により、上述の（センサの異常検出）の手順に従い、第１および第２圧力センサ３２１および３２２のそれぞれについて正常動作をしているか否かが検出される（ステップＳＴ３ａ）。
【００９１】
被測定者により測定スイッチ４１Ｂが操作されて血圧測定の開始が指示されると（ステップＳＴ４）、ステップＳＴ３ａの検出結果に基づき正常動作をしていると判定すると（ステップＳＴ４ａで“センサ正常”）、処理はステップＳＴ５に移り、以降の血圧測定の処理が開始される。
【００９２】
一方、ステップＳＴ３ａの検出結果に基づき異常動作をしていると判定すると（ステップＳＴ４ａで“センサ異常”）、エラー表示処理が行なわれる（ステップＳＴ４ｂ）。すなわち、センサ異常検出部１１３は、センサ異常を検出した旨を表示処理部１１５に与えるので、表示処理部１１５は、表示部４０を介してセンサ異常が発生した旨のエラーメッセージを表示する。このメッセージにより被測定者は、血圧測定が開始されない理由を知ることができる。その後、血圧測定の処理は終了する。
【００９３】
（実施の形態２）
本実施の形態２では、実施の形態１に適用される図１の電子血圧１とは異なる外観を有する電子血圧計１Ａが示される。本実施の形態２の電子血圧計１Ａであっても、実施の形態１の図２の機能構成を取ることができる。そして、本実施の形態の電子血圧計１Ａであっても実施の形態１で説明した圧力センサの異常検出の手順および血圧測定の手順を適用することができる。
【００９４】
図９および図１０は、本発明の実施の形態２における電子血圧計１Ａの外観を示す図であり、図９は、本体部からカフ部を取り外した状態を示す斜視図、図１０は、本体部にカフ部を取付けた状態を示す斜視図である。
【００９５】
図９および図１０に示すように、本実施の形態における電子血圧計１Ａは、本体部１１０Ａとカフ部１５０Ａとを主に備えている。本体部１１０Ａとカフ部１５０Ａとは空気の経路となるエアチューブ３１によって接続されている。エアチューブ３１は、適度な可撓性を有する管状の部材からなる。
【００９６】
本体部１１０Ａは、机等の載置台に載置されるベース部２１１と、載置台に本体部１１０Ａが載置された状態においてベース部２１１の上面２１１ａから上方に向かって突出する被収容部２１２とを有している。被収容部２１２は、電子血圧計１Ａの非使用状態においてカフ部１５０Ａによって覆われる部位である。被収容部２１２は、剛性を有する樹脂材料によって略円柱状に形成されている。被収容部２１２の周面には、表示部４０が設けられている。また、ベース部２１１の側部の周面２１１ｂには、操作部４１が設けられている。
【００９７】
ベース部２１１の上面２１１ａの所定位置には、カフ部１５０Ａが本体部１１０Ａにセットされた状態にあるか否かを検知する検知手段としてのマイクロスイッチ２１８と、カフ部１５０Ａが本体部１１０Ａにセットされた状態においてカフ部１５０Ａを本体部１１０Ａに固定する固定手段としての固定フック２１４および可動フック２１５とが設けられている。また、ベース部２１１の周面２１１ｂには、リリースボタン２１６が設けられている。このリリースボタン２１６は、可動フック２１５に関連して設けられ、使用者に操作されることによって固定フック２１４および可動フック２１５によるカフ部１５０Ａの係止を解除するためのボタンである。
【００９８】
カフ部１５０Ａは、電子血圧計１Ａの使用時において被測定者の上腕に装着される部位であり、その外形は略円筒状に形成されている。ここで、カフ部１５０Ａは、上腕を圧迫するための流体袋としての空気袋２１と、空気袋２１の外側を覆うように形成された略円筒状の機枠であるシェル２６０と、空気袋２１の内側を覆うカフカバー２７４とを有している。空気袋２１は、シェル２６０の内周面に沿うように配置されており、その結果、カフ部１５０Ａは、使用状態において上腕が挿入可能な中空部２５１を有している。
【００９９】
シェル２６０の周面の所定位置には、カフ部１５０Ａの上腕への脱着作業の容易化を図るために、カフ部１５０Ａが装着される上腕とは反対側の手で把持可能な把手２６２が設けられている。また、シェル２６０の周面の所定位置には、上述した固定フック２１４および可動フック２１５に係合する凹部２６４，２６５が設けられている。
【０１００】
上述したマイクロスイッチ２１８による検知動作を説明する。マイクロスイッチ２１８は本体部１１０Ａのベース部２１１の上面２１１ａに設けられている。マイクロスイッチ２１８は、そのスイッチ部が、非押し下げ状態においてベース部２１１の上面２１１ａから上方に向かって突出して位置するように配置されている。本体部１１０Ａにカフ部１５０Ａが取付けられた状態においては、マイクロスイッチ２１８のスイッチ部がカフ部１５０Ａの軸方向端面によって図中下方向に向けて押し下げられる。これにより、本体部１１０Ａにカフ部１５０Ａが取付けられているか否か、すなわち被収容部２１２がカフ部１５０Ａに収納された状態にあるか否かがマイクロスイッチ２１８によって検知される。
【０１０１】
電子血圧計１Ａにおいては、図９に示すように、カフ部１５０Ａが本体部１１０Ａから取り外された状態においては、カフ部１５０Ａに設けられた中空部２５１に軸方向から上腕を挿入することが可能であり、カフ部１５０Ａの上腕への装着が可能な使用状態をとることになる。一方、図１０に示すように、カフ部１５０Ａが本体部１１０Ａに取付けられた状態においては、カフ部１５０Ａの中空部２５１内に本体部１１０Ａの被収容部２１２が収容された状態となり、電子血圧計１Ａを使用しない場合の非使用状態をとることになる。非使用状態においては、カフ部１５０Ａによって本体部１１０Ａに設けられた表示部４０および操作部４１が覆われることになる。
【０１０２】
（他の構成）
電子血圧計の非使用状態において、カフ部を本体部の略円柱状の部材に取付ける構成は、図１１および図１２のような構成であってもよい。
【０１０３】
図１１は、本体部からカフ部を取り外した状態を示す斜視図であり、図１２は、本体部にカフ部を取付けた状態を示す斜視図である。図１１と図１２において電子血圧計１Ａと同様の部分については図中同一の符号を付し、その説明はここでは繰り返さない。
【０１０４】
図１１および図１２に示す電子血圧計１Ｂは、電子血圧計１Ａと同様に、本体部１１０Ｂとカフ部１５０Ｂとを主に備えている。本体部１１０Ｂとカフ部１５０Ｂとはエアチューブ３１によって接続されている。本体部１５０Ｂの構成は、カフ部１５０Ｂを本体部１１０Ｂに取付けた非使用状態においてカフ部１５０Ｂを本体部１１０Ｂに固定する機構を設けていない点およびカフ部１５０Ｂが本体部１１０Ｂに取付けられているか否かを検知する検知機構が設けられていない点を除き、前述した本体部１１０Ａと同様である。
【０１０５】
カフ部１５０Ｂは、電子血圧計１Ｂの使用時において被測定者の上腕に装着される部位の外形が、略円筒状に形成されている。ここで、カフ部１５０Ｂは、上腕を圧迫するための流体袋としての空気袋２１と、図示されないカーラと、空気袋２１およびカーラを内包する袋状の外装部材としてのカバー体２８０とを備えている。カーラは、空気袋２１の外側に配置され、当該カフ部１５０Ｂを上腕に巻き付けた状態において空気袋２１を上腕に対して付勢する湾曲弾性板である。カフ部１５０Ｂは、使用状態において上腕が挿入可能な中空部２５１を有している。
【０１０６】
電子血圧計１Ｂにおいては、カフ部１５０Ｂが本体部１１０Ｂに取付けられた状態と、カフ部１５０Ｂが本体部１１０Ｂから取り外された状態との２つの状態をとることが可能に構成されている。図１１に示すように、カフ部１５０Ｂが本体部１１０Ｂから取り外された状態においては、カフ部１５０Ｂに設けられた中空部２５１に上腕を挿入することによって、カフ部１５０Ｂの上腕への装着が可能な使用状態をとることになる。一方、図１２に示すように、カフ部１５０Ｂが本体部１１０Ｂに取付けられた状態においては、カフ部１５０Ｂの中空部２５１内に本体部１１０Ｂの被収容部２１２が収容された状態となり、電子血圧計１Ｂを使用しない場合の非使用状態をとることになる。なお、図１２に示すように、非使用状態においては、カフ部１５０Ｂによって本体部１１０Ｂに設けられた表示部４０が覆われることになる。
【０１０７】
（圧力センサ初期化時の異常検出の他の例）
図１３には、本実施の形態の電子血圧計における圧力センサ初期化時のセンサ異常検出の処理手順が示される。図１３のフローチャートは、前述したステップＳＴ３において実施される。本実施の形態では、ステップＳＴ３の処理以外は、実施の形態１の血圧測定の処理手順と同様であるので、その説明は省略している。
【０１０８】
本実施の形態では、上述の非使用状態（カフ部１５０Ａ（１５０Ｂ）が本体部１１０Ａ（１１０Ｂ）に取付けられた状態）において図４で説明したステップＳＴ１〜ＳＴ３の処理が実行されて、その後に、被測定者はカフ部１５０Ａ（１５０Ｂ）を上腕に装着することにより、電子血圧計の使用状態となり、使用状態においてステップＳＴ４以降の血圧測定処理が行われる。
【０１０９】
図１３を参照して、非使用状態における圧力センサの初期化時において、全圧力センサの０ｍｍＨｇ補正が行なわれる（ステップＳＴ２１１）。
【０１１０】
その後、ポンプ駆動回路５３によってポンプ５１を一定時間、所定の電圧で駆動することによって、空気袋２１に所定量の空気を送り込む（ステップＳＴ２１２〜ＳＴ２１４）。圧力センサ異常検出部１１３は、そのときの第１および第２圧力センサ３２１および３２２の出力値を検出し（ステップＳＴ２１５）、その差を算出し、差と所定値とを比較し、比較結果に基づき圧力センサの異常を検出する（ステップＳＴ２１６）。
【０１１１】
具体的には、比較結果に基づき、差が所定値以下であると検出すると圧力センサはすべて正常と判断する（ステップＳＴ２１６でＹＥＳ）。これに対し、差が所定値より大きいと検出すると（ステップＳＴ２１６でＮＯ）、異常センサを特定する（ステップＳＴ２１７）。この異常センサの特定は前述の（センサの異常検出）の方法を使用することができる。特定した異常の圧力センサを指示する情報は、表示部４０に表示される。
【０１１２】
その後、カフ２０の空気袋２１内の空気を排気する（ステップＳＴ２１８）。以上により、圧力センサの初期化（ステップＳＴ３）は終了する。
【０１１３】
（実施の形態３）
圧力センサの異常を検出するための機構は、実施の形態１と２に示したものに限定されず、本実施の形態３の構成によって検出してもよい。
【０１１４】
図１４と図１５は、本実施の形態３に係る電子血圧計１のハードウェア構成および機能構成を示す図である。
【０１１５】
図１４の構成と、実施の形態１の図２の構成とを比較し異なる点は、図１４の電子血圧計１は図２の本体部１０に代替して本体部１０１を備える点である。
【０１１６】
本体部１０１は内部に、図２の構成に追加して、一定容量の空気を蓄えるタンク５７、タンク５７にエアチューブ３１を介して接続される切替弁５６、および切替弁５６の開閉動作を制御するための切替弁駆動回路５５を備え、ＣＰＵ１００に代替してＣＰＵ１００１を備える。
【０１１７】
切替弁５６はエアチューブ３１を接続する。このエアチューブ３１は、第１および第２圧力センサ３２１および３２２、ポンプ５１ならびに弁５２に共通して接続されるエアチューブ（以下、第１エアチューブという）と、カフ２０（空気袋２１）に接続されるエアチューブ（第２エアチューブという）と、タンク５７に接続されるエアチューブ（第３エアチューブという）とからなる。
【０１１８】
図１５の構成と、実施の形態１の図３の構成とを比較し異なる点は、図１５の電子血圧計１は図３のＣＰＵ１００に代替してＣＰＵ１００１を備える点である。図１５を参照してＣＰＵ１００１は、図３の構成に加えて切替制御部１１６を備える。切替制御部１１６は、切替弁駆動回路５５を制御する。
【０１１９】
（圧力センサ初期化時の異常検出の他の例）
図１６には、圧力センサ初期化時のセンサ異常検出の処理手順が示される。図１６のフローチャートは、前述したステップＳＴ３において実施される。本実施の形態では、ステップＳＴ３の処理以外は、実施の形態１の血圧測定の処理手順と同様であるので、その説明は省略している。
【０１２０】
この処理では、タンク５７に所定量の空気を送り込んだときの第１および第２圧力センサ３２１および３２２の出力値を比較し、比較結果に基づき、両方の値の差が所定値（たとえば５ｍｍＨｇ）を超えていると検出した場合、一方の圧力センサを異常と判断する。
【０１２１】
図１６を参照して、圧力センサの初期化時において、切替制御部１１６は、まず、切替弁駆動回路５５に制御信号を出力する。切替弁駆動回路５５は、制御信号に基づき、切替弁５６をカフ２０側に切替える（ステップＳＴ１１０）。したがって、切替弁５６を介して第１エアチューブと第２エアチューブとは接続されて、空気の流路は両チューブによって構成される。この状態で全圧力センサの０ｍｍＨｇ補正が行なわれる（ステップＳＴ１１１）。
【０１２２】
その後、切替制御部１１６は、切替弁駆動回路５５に制御信号を出力する。切替弁駆動回路５５は、制御信号に基づき、切替弁５６をタンク５７側に切替える。したがって、切替弁５６を介して第１エアチューブには、第２エアチューブから第３エアチューブに切替え接続される。切替弁５６により空気の流れる方向はタンク５７側となる（ステップＳＴ１２１）。
【０１２３】
次に、ポンプ駆動回路５３によってポンプ５１を一定時間、所定の電圧で駆動し、タンク５７に所定量の空気を送り込む（ステップＳＴ１３１〜ＳＴ１５１）。圧力センサ異常検出部１１３は、そのときの第１および第２圧力センサ３２１および３２２の出力値を検出し（ステップＳＴ１６１）、その差を算出し、差と所定値とを比較し、比較結果に基づき圧力センサの異常を検出する（ステップＳＴ１７１）。
【０１２４】
具体的には、比較結果に基づき、差が所定値以下であると検出すると圧力センサはすべて正常と判断する（ステップＳＴ１７１でＹＥＳ）。これに対し、差が所定値より大きいと検出すると（ステップＳＴ１７１でＮＯ）、異常センサを特定する（ステップＳＴ１８１）。この異常センサの特定は前述の（センサの異常検出）の方法を使用することができる。特定した異常の圧力センサを指示する情報は、表示部４０に表示される。
【０１２５】
その後、タンク５７内の空気を排気する（ＳＴ１９１）。その後、切替制御部１１６は、切替弁駆動回路５５に制御信号を出力するので、切替弁駆動回路５５は、制御信号に基づき、切替弁５６をカフ２０側に切替える。したがって、切替弁５６を介して第１エアチューブには、第３エアチューブから第２エアチューブが切替え接続される。切替弁５６により空気の流れる方向はカフ２０側となる（ステップＳＴ２０１）。以上により、圧力センサの初期化（ステップＳＴ３）は終了する。
【０１２６】
（表示例）
図１７〜図１９には、表示部４０における圧力センサの異常検出結果の表示例が示される。
【０１２７】
図１７では、表示処理部１１５は第１および第２圧力センサ３２１および３２２のうちいずれか１つでも正常であれば、“ＮＧ”の文字は消灯させて“ＯＫ”の文字のみを点灯させている。すべてが異常であれば“ＯＫ”の文字は消灯させて“ＮＧ”の文字を点灯する。この表示においては、タイマ４５によって計時された測定時間のデータ４０２と、血圧測定の結果である収縮期血圧のデータ４０３と、拡張期血圧のデータ４０４と、脈拍数のデータ４０５とが、“ＮＧ”/“ＯＫ”の表示とともに、表示される。
【０１２８】
図１８には、圧力センサ毎にＯＫ／ＮＧを表示する例が示されている。ここでは、各圧力センサ毎に、メッセージ４０７においてＯＫ／ＮＧの表示がされる。図１８によれば、第１の圧力センサ３２１は正常であるけれども、第２の圧力センサ３２２には異常が発生していることがわかる。
【０１２９】
図１９には、電子血圧計１が血圧測定に使用されていない待機状態などにおいて、圧力センサ毎に、検出する現在の圧力値を表示する例が示されている。ここでは、メッセージ４０８により、第１圧力センサ３２１は現在圧力値が０ｍｍＨｇであり、第２圧力センサ３２２は現在の圧力値が２ｍｍＨｇであることが指示されている。
【０１３０】
被測定者は、このような表示を確認することで、圧力センサの校正を製造者に依頼するタイミングを得ることができる。したがって、圧力センサが異常であるのを気付かないままに血圧測定をすることが回避されて、血圧測定値の信頼性を向上させることができる。
【０１３１】
なお、実施の形態１と２では、電子血圧計１は、据置型でありカフ２０が上腕部に巻付けられるとしているが、図２０のように、カフ２０と本体部１０が一体的に構成されており、カフ２０を手首に巻付ける手首式電子血圧計であっても同様に適用することができる。
【０１３２】
（センサ異常検出部１１３の検出のタイミング）
センサ異常検出部１１３は、次のタイミングで検出動作を行うようにしてもよい。
【０１３３】
メモリスイッチ４１Ｄが操作されてメモリ４３から記憶されている測定データを読出し表示部４０に表示するときに行うようにしてもよい。または、タイマ４５の時刻合わせ時に行うようにしてもよい。
【０１３４】
電源４４は電池からなる場合には、センサ異常検出部１１３は電池交換直後に圧力センサの異常検出を行うようにしてもよい。または、電源４４にＡＣ（Alternating Current）アダプタを介して外部電源（商用電源など）から電力供給される場合には、センサ異常検出部１１３は、電源４４に外部電源から電力が供給開始された直後において、圧力センサの異常検出を行うようにしてもよい。
【０１３５】
または、操作部４１を介して入力する外部指示に応じて、センサ異常検出部１１３は検出動作を行なうようにしてもよい。
【０１３６】
（センサ異常検出結果の表示のタイミング）
また、センサ異常検出部１１３による検出結果の表示タイミングは次のようであってもよい。血圧測定開始前の待機状態、または、ステップＳＴ１１の血圧測定結果表示時である。
【０１３７】
また、異常検出の結果は、センサ異常検出部１１３による検出が行われる都度、表示するようにしてもよい。また、操作部４１を介して入力する外部指示に応じて、最新の異常検出結果をメモリ４３から読出し表示してもよい。
【０１３８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１３９】
【図１】各実施の形態に係る電子血圧計の外観図である。
【図２】実施の形態１に係る電子血圧計のハードウェア構成図である。
【図３】実施の形態１に係る電子血圧計の機能構成図である。
【図４】実施の形態１に係る血圧測定の処理フローチャートである。
【図５】実施の形態１に係る血圧算出の手順を説明する図である。
【図６】圧力センサの特性を説明する図である。
【図７】実施の形態１に係る血圧測定動作を中止する手順を示すフローチャートである。
【図８】実施の形態１に係る血圧測定動作を開始しない処理手順を示すフローチャートである。
【図９】実施の形態２に係る電子血圧計の概観を示す図である。
【図１０】実施の形態２に係る電子血圧計の概観を示す図である。
【図１１】実施の形態２に係る他の電子血圧計の概観を示す図である。
【図１２】実施の形態２に係る他の電子血圧計の概観を示す図である。
【図１３】実施の形態２に係る圧力センサの異常検出の処理フローチャートである。
【図１４】実施の形態３に係る電子血圧計のハードウェア構成図である。
【図１５】実施の形態３に係る電子血圧計の機能構成図である。
【図１６】実施の形態３に係る圧力センサの異常検出の処理フローチャートである。
【図１７】本発明の各実施の形態に係る表示の一例を示す図である。
【図１８】本実施の各形態に係る表示の他の例を示す図である。
【図１９】本実施の各形態に係る表示のさらなる他の例を示す図である。
【図２０】手首式電子血圧計の外観を示す図である。
【符号の説明】
【０１４０】
１，１Ａ，１Ｂ  電子血圧計、５５  切替弁駆動回路、５６  切替弁、５７  タンク、３２１  第１圧力センサ、３２２  第２圧力センサ、３３１  第１発振回路、３３２  第２発振回路、１１２  血圧算出部、１１３  センサ異常検出部。
【図１】
2010057817.tif 000003
【図２】
2010057817.tif 000004
【図３】
2010057817.tif 000005
【図４】
2010057817.tif 000006
【図５】
2010057817.tif 000007
【図６】
2010057817.tif 000008
【図７】
2010057817.tif 000009
【図８】
2010057817.tif 000010
【図９】
2010057817.tif 000011
【図１０】
2010057817.tif 000012
【図１１】
2010057817.tif 000013
【図１２】
2010057817.tif 000014
【図１３】
2010057817.tif 000015
【図１４】
2010057817.tif 000016
【図１５】
2010057817.tif 000017
【図１６】
2010057817.tif 000018
【図１７】
2010057817.tif 000019
【図１８】
2010057817.tif 000020
【図１９】
2010057817.tif 000021
【図２０】
2010057817.tif 000022